(57)【要約】【課題】薄型かつ軽量な筐体を備える場合であっても、誤作動の発生を防止することができる電子機器を提供すること。【解決手段】電子機器１は、第１筐体１２と、第１筐体１２の内部に配置された基板１３と、基板１３上に配置された取付機構１４と、取付機構１４に取り付けられ、一方の面１５１が第１筐体１２の内面１２１と対向し、かつ他方の面１５２が基板１３と対向するように取付機構１４によって保持された板状の電子部品１５と、を備え、電子部品１５と基板１３との間に形成された間隙Ｓ内にスペーサ１６が配置されている。【選択図】図２
2017151586.tif 000002
【特許請求の範囲】
【請求項１】
筐体と、
前記筐体の内部に配置された基板と、
前記基板上に配置された取付機構と、
前記取付機構に取り付けられ、一方の面が前記筐体の内面と対向し、かつ他方の面が前記基板と対向するように前記取付機構によって保持された板状の電子部品と、
を備え、
前記電子部品と前記基板との間に形成された間隙内にスペーサが配置されていることを特徴とする電子機器。
【請求項２】
前記筐体は、前記スペーサの端部から前記筐体の内面に向かって延在し、前記スペーサと前記筐体の内面とを接続する延在部を備えることを特徴とする請求項１に記載の電子機器。
【請求項３】
前記筐体は、
前記筐体の正面側を覆う正面カバーと、
前記筐体の背面側を覆う背面カバーと、
を備え、
前記延在部および前記スペーサは、前記背面カバーと一体的に設けられ、
前記スペーサは、前記正面カバーに対して前記背面カバーをスライドさせて取り付ける際に、前記間隙内に配置されるように構成されていることを特徴とする請求項２に記載の電子機器。
【請求項４】
前記スペーサは、前記スペーサの端部から前記筐体の内面に向かって延在する延在部を備え、
前記延在部は、その延在方向を回転軸として回転可能に構成され、
前記スペーサは、前記延在部の回転に応じて、前記間隙内に配置された状態と、前記間隙の外に配置された状態とが切り替え可能に構成されていることを特徴とする請求項１に記載の電子機器。
【請求項５】
前記筐体は、少なくとも前記電子部品と対向する領域が取り外し可能に構成されていることを特徴とする請求項４に記載の電子機器。
【発明の詳細な説明】
【技術分野】
【０００１】
本発明は、電子機器に関する。
【背景技術】
【０００２】
昨今、ノートブック型のパーソナルコンピュータ（以下、ノート型ＰＣという）、タブレット型のパーソナルコンピュータ（以下、タブレット型ＰＣという）、スマートフォンおよび携帯電話等の各種の電子機器の筐体は、ますます薄型化・軽量化が進んでいる。これらの電子機器では、筐体内に設けられたマザーボードにメモリやＣＰＵ等の電子部品が実装されており、例えば特許文献１には、マザーボード上に設けられたソケットを介してメモリが保持された構成が開示されている。
【先行技術文献】
【特許文献】
【０００３】
【特許文献１】特開２００５−１９０２９６号公報
【発明の概要】
【発明が解決しようとする課題】
【０００４】
図６は、従来の電子機器１０１の構成の一例を示す断面図である。同図に示すように、従来の電子機器１０１は、背面カバー１１２ａおよび正面カバー１１２ｂからなる筐体１１２内に基板（マザーボード）１１３が設けられている。そして、基板１１３上に設けられた取付機構（ソケット）１１４に対して、基板１１３の実装面１３１と平行に電子部品（メモリ）１１５が取り付けられている。
【０００５】
ここで、図６で示した電子機器１０１の筐体１１２は、前記した薄型化・軽量化の要求に伴い薄く軽量に形成されているため、図６に示すように、筐体１１２の内面１２１と内部の電子部品１１５との距離が近接している。そのため、例えばユーザが筐体１１２を片手で把持すると、同図に示すように、背面カバー１１２ａに外力Ｆが作用し、背面カバー１１２ａの内面１２１が電子部品１１５に接触してしまう場合がある。なお、電子機器１０１では、取付機構１１４に設けられたラッチ部１４１によって、電子部品１１５が基板１１３側と逆方向（背面カバー１１２ａ側）に移動することは規制されているものの、背面カバー１１２ａ側からの外力Ｆには対向することができない。
【０００６】
そして、上記のような背面カバー１１２ａと電子部品１１５の接触が頻繁に発生すると、図７（ａ）〜図７（ｃ）に示すように電子部品１１５が揺動し、取付機構１１４の金属端子１１４ａと電子部品１１５との間に異物Ｄｕが挟まって、電子機器１０１に誤作動が発生する可能性がある。なお、異物Ｄｕとしては、例えば塵や埃、または金属端子１１４ａを取付機構１１４にはんだ付けした際の残留フラックス、金属端子１１４ａを表面処理した際の酸化被膜等が挙げられる。また、上記のような場合に電子機器１０１に発生する誤作動としては、例えば画面乱れ等が挙げられる。
【０００７】
本発明は、上記に鑑みてなされたものであって、薄型かつ軽量な筐体を備える場合であっても、誤作動の発生を防止することができる電子機器を提供することを目的とする。
【課題を解決するための手段】
【０００８】
上述した課題を解決し、目的を達成するために、本発明に係る電子機器は、筐体と、前記筐体の内部に配置された基板と、前記基板上に配置された取付機構と、前記取付機構に取り付けられ、一方の面が前記筐体の内面と対向し、かつ他方の面が前記基板と対向するように前記取付機構によって保持された板状の電子部品と、を備え、前記電子部品と前記基板との間に形成された間隙内にスペーサが配置されていることを特徴とする。
【０００９】
また、本発明に係る電子機器は、上記発明において、前記筐体は、前記スペーサの端部から前記筐体の内面に向かって延在し、前記スペーサと前記筐体の内面とを接続する延在部を備えることを特徴とする。
【００１０】
また、本発明に係る電子機器は、上記発明において、前記筐体は、前記筐体の正面側を覆う正面カバーと、前記筐体の背面側を覆う背面カバーと、を備え、前記延在部および前記スペーサは、前記背面カバーと一体的に設けられ、前記スペーサは、前記正面カバーに対して前記背面カバーをスライドさせて取り付ける際に、前記間隙内に配置されるように構成されていることを特徴とする。
【００１１】
また、本発明に係る電子機器は、上記発明において、前記スペーサは、前記スペーサの端部から前記筐体の内面に向かって延在する延在部を備え、前記延在部は、その延在方向を回転軸として回転可能に構成され、前記スペーサは、前記延在部の回転に応じて、前記間隙内に配置された状態と、前記間隙の外に配置された状態とが切り替え可能に構成されていることを特徴とする。
【００１２】
また、本発明に係る電子機器は、上記発明において、前記筐体は、少なくとも前記電子部品と対向する領域が取り外し可能に構成されていることを特徴とする。
【発明の効果】
【００１３】
本発明に係る電子機器によれば、例えばユーザが筐体を片手で把持して外力が作用した場合であっても、スペーサによって電子部品の移動が規制されているため、電子部品の揺動により取付機構の金属端子と電子部品との間に異物が挟まることがなく、誤作動が防止される。
【図面の簡単な説明】
【００１４】
【図１】図１は、本発明の実施形態に係る電子機器の一例を示す斜視図である。
【図２】図２は、本発明の第１実施形態に係る電子機器の構成を示す断面図である。
【図３】図３は、本発明の第２実施形態に係る電子機器の構成を示す断面図である。
【図４】図４は、本発明の第２実施形態の変形例に係る電子機器の構成を示す断面図である。
【図５】図５は、本発明の第３実施形態に係る電子機器の構成を示す断面図である。
【図６】図６は、従来技術に係る電子機器の構成を示す断面図である。
【図７】図７は、従来技術に係る電子機器において、取付機構の金属端子と電子部品との間に異物が挟まる様子を説明するための説明図である。
【発明を実施するための形態】
【００１５】
以下、本発明に係る電子機器の実施形態について、図面を参照しながら説明する。なお、本発明は以下の実施形態に限定されるものではない。また、以下の実施形態における構成要素には、当業者が置換可能かつ容易なもの、あるいは実質的に同一のものが含まれる。
【００１６】
以下、本発明の各実施形態に共通する電子機器の構成について、図１を参照しながら説明する。本発明の各実施形態で説明する電子機器としては、同図に示すようなノート型ＰＣが挙げられる。電子機器１は、機器本体１０と、蓋体２０とを備え、当該蓋体２０を左右のヒンジ２２により機器本体１０に対して開閉可能に連結したクラムシェル型である。
【００１７】
機器本体１０は、図１に示すように、キーボード装置１１と、第１筐体（筐体）１２と、を備えている。第１筐体１２は、第１筐体１２の背面側を覆う背面カバー１２ａと、第１筐体１２の正面側を覆う正面カバー１２ｂとからなり、内部に基板、演算処理装置、ハードディスク装置、メモリ等の電子部品が収容されている。
【００１８】
蓋体２０は、図１に示すように、液晶ディスプレイ等のディスプレイ装置２１と、第２筐体２３と、を備えている。第２筐体２３は、第２筐体２３の背面側を覆う背面カバー２３ａと、第２筐体２３の正面側を覆う正面カバー２３ｂとからなり、内部にアンテナ２４等の電子部品が収容されている。なお、アンテナ２４は、同図では第２筐体２３の内部に収容されているが、第１筐体１２の内部に収容されていてもよい。
【００１９】
［第１実施形態］
以下、本発明の第１実施形態に係る電子機器１の構成について、図２を参照しながら説明する。なお、同図では、第１筐体１２の内部に収容された電子部品のうち、本発明の説明に必要な構成のみを抜き出して示している（後記する図３〜図５も同様）。また、以下で参照する図２（ａ）〜図２（ｃ）のうち、図１の断面状態に対応するものは図２（ｃ）であるため、まず図２（ｃ）を参照しながら電子機器１の構成を説明する。
【００２０】
電子機器１は、図２（ｃ）に示すように、背面カバー１２ａおよび正面カバー１２ｂを備える第１筐体１２と、基板１３と、取付機構１４と、電子部品１５と、を備えている。また、背面カバー１２ａは、スペーサ１６と、延在部１７と、を備えている。
【００２１】
スペーサ１６は、図２（ｃ）に示すように、電子部品１５と基板１３との間に形成された間隙Ｓ内に配置されている。すなわち、スペーサ１６は、電子部品１５の他方の面１５２と基板１３の実装面１３１にそれぞれ接触している。これにより、スペーサ１６は、電子部品１５が基板１３側に移動することを規制している。なお、スペーサ１６の素材は特に限定されないが、背面カバー１２ａ側からの外力（図６参照）に対抗できる程度の剛性を有する素材で構成することが好ましい。
【００２２】
延在部１７は、スペーサ１６の端部から背面カバー１２ａの内面１２１に向かって延在しており、スペーサ１６と背面カバー１２ａの内面１２１とを接続している。これにより、延在部１７は、スペーサ１６を支持するとともに、例えばユーザが第１筐体１２を把持し、背面カバー１２ａに外力が作用するような場合であっても、当該背面カバー１２ａが基板１３側に撓まないように支持している。
【００２３】
言い換えると、スペーサ１６および延在部１７は、背面カバー１２ａと一体的に設けられており、図２（ｃ）に示すように、背面カバー１２ａの内面１２１側から基板１３（電子部品１５）側に延在部１７が突出するとともに、延在部１７側から取付機構１４側にスペーサ１６が突出するように形成されている。
【００２４】
基板１３は、具体的にはマザーボード（主基板）であり、図２（ｃ）に示すように、第１筐体１２の内部に配置されている。取付機構１４は、具体的にはメモリ用のソケットであり、基板１３上に配置されている。また、取付機構１４は、電子部品１５が基板１３側と逆方向（背面カバー１２ａ側）に移動することを規制するラッチ部１４１を備えている。なお、図２（ｃ）で示した取付機構１４は概念的なものであり、実際のメモリ用のソケットとは具体的な構成は異なる（後記する図３〜図５も同様）。
【００２５】
電子部品１５は、具体的には板状に形成されたメモリ（例えばＤＩＭＭ）であり、図２（ｃ）に示すように、取付機構１４に取り付けられている。電子部品１５は、一方の面１５１が背面カバー１２ａの内面１２１と対向し、かつ他方の面１５２が基板１３の実装面１３１と対向するように取付機構１４によって保持されている。すなわち、電子部品１５は、取付機構１４に対して、背面カバー１２ａの内面１２１および基板１３の実装面１３１と平行な方向に取り付けられている。
【００２６】
（スペーサの取付方法）
以下、電子機器１におけるスペーサ１６の取付方法について説明する。
【００２７】
まず、図２（ａ）に示すように、背面カバー１２ａが取り外されている状態で取付機構１４に電子部品１５を取り付ける。なお、電子機器１の組み立て工程では、交換容易性の観点から、高価な電子部品はなるべく最後に基板１３に取り付けるという方針がある。そのため、メモリを想定している電子部品１５も、同図に示すように、背面カバー１２ａを取り付ける直前に行っている。また、電子部品１５が背面カバー１２ａに近接した位置に配置されるのも、上記のような交換容易性の問題に起因している。
【００２８】
続いて、図２（ｂ）に示すように、正面カバー１２ｂに対して背面カバー１２ａをスライドさせ、両者を取り付ける。そして、図２（ｃ）に示すように、正面カバー１２ｂに背面カバー１２ａを取り付けると同時に、間隙Ｓ内にスペーサ１６を配置する。
【００２９】
このように、電子機器１におけるスペーサ１６は、正面カバー１２ｂに背面カバー１２ａを取り付ける際に、間隙Ｓ内に配置されるような位置および大きさに構成されている。すなわち、スペーサ１６は、図２（ｃ）に示すように正面カバー１２ｂに背面カバー１２ａが取り付けられている状態において、少なくとも一部が間隙Ｓ内に配置される位置（ｘ軸方向における位置）に設けられているとともに、間隙Ｓとほぼ同じ幅（ｙ軸方向における幅）に形成されている。なお、前記したｘ軸方向とは、例えば電子部品１５が取付機構１４に取り付けられる方向であり、前記したｙ軸方向とは、電子部品１５や基板１３の板厚方向のことを示している。
【００３０】
以上のような構成を備える電子機器１は、例えばユーザが第１筐体１２を片手で把持し、背面カバー１２ａに外力が作用した場合であっても、スペーサ１６によって電子部品１５の移動が規制されている。従って、電子部品１５の揺動により取付機構１４の金属端子（図７参照）と電子部品１５との間に異物が挟まることがなく、誤作動が防止される。また、電子機器１は、延在部１７によって背面カバー１２ａが支持されているため、外力によって背面カバー１２ａが撓むことが抑制され、筐体全体の強度が向上する。
【００３１】
［第２実施形態］
以下、本発明の第２実施形態に係る電子機器１Ａの構成について、図３を参照しながら説明する。まず図３（ｃ）を参照しながら電子機器１Ａの構成を説明する。
【００３２】
電子機器１Ａは、図３（ｃ）に示すように、背面カバー１２Ａａおよび正面カバー１２ｂを備える第１筐体１２Ａと、基板１３と、取付機構１４と、電子部品１５と、スペーサ１６Ａと、ネジ部材１８と、保持部材１９と、を備えている。
【００３３】
電子機器１Ａは、前記した電子機器１（図２（ｃ）参照）では、延在部１７およびスペーサ１６が背面カバー１２ａと一体で構成されていたのに対し、図３（ｃ）に示すように、延在部１７Ａおよびスペーサ１６Ａが背面カバー１２Ａａと別体で構成されている点が異なる。
【００３４】
背面カバー１２Ａａには、図３（ｃ）に示すように、開口部１２２が形成されており、当該開口部１２２にネジ部材１８が挿通されている。スペーサ１６Ａは、電子部品１５と基板１３との間の間隙Ｓ内に配置されており、延在部１７Ａを備えている。
【００３５】
延在部１７Ａは、図３（ｃ）に示すように、スペーサ１６Ａの端部から背面カバー１２Ａａの内面１２１に向かって延在している。延在部１７Ａの上部には、ネジ穴１７１が形成されており、当該ネジ穴１７１にネジ部材１８が挿入されている。そして、延在部１７Ａは、ネジ部材１８の回転に伴い、当該延在部１７Ａの延在方向を回転軸として回転可能に構成されている。また、延在部１７Ａの上部における外周には、例えば止め輪等からなる保持部材１９が外嵌されており、開口部１２２上で延在部１７Ａを保持している。
【００３６】
（スペーサの取付方法）
以下、電子機器１Ａにおけるスペーサ１６Ａの取付方法について説明する。
【００３７】
まず、図３（ａ）に示すように、背面カバー１２Ａａが取り外されている状態で取付機構１４に電子部品１５を取り付ける。続いて、背面カバー１２Ａａの開口部１２２に、保持部材１９を介して延在部１７Ａおよびスペーサ１６Ａを取り付けた後、図３（ｂ）に示すように、基板１３の実装面１３１上にスペーサ１６Ａを配置するとともに、正面カバー１２ｂに背面カバー１２ａを取り付ける。そして、図３（ｃ）に示すように、ネジ部材１８をネジ穴１７１に挿入して回し、延在部１７Ａとともにスペーサ１６Ａを回転させ、間隙Ｓ内にスペーサ１６Ａを配置する。
【００３８】
このように、電子機器１Ａにおけるスペーサ１６Ａは、ネジ部材１８および延在部１７Ａの回転に応じて、間隙Ｓの外に配置された状態（図３（ｂ）参照）と、間隙Ｓ内に配置された状態（図３（ｃ）参照）とが切り替え可能に構成されている。
【００３９】
以上のような構成を備える電子機器１Ａは、前記した電子機器１と同様に、背面カバー１２Ａａに外力が作用した場合であっても、スペーサ１６Ａによって電子部品１５の移動が規制されているため、異物混入による誤作動が防止される。
【００４０】
［第２実施形態の変形例］
以下、本発明の第２実施形態の変形例に係る電子機器１Ｂの構成について、図４を参照しながら説明する。
【００４１】
電子機器１Ｂは、第１筐体１２Ｂの一部が取り外し可能である点が前記した電子機器１Ａ（図３（ｃ）参照）とは異なる。電子機器１Ｂは、図４に示すように、背面カバー１２Ｂａの一部に窓部１２３が形成されており、当該窓部１２３に対応する位置に蓋部材１２４が配置されている。すなわち、電子機器１Ｂは、背面カバー１２Ｂａの一部が、着脱自在の蓋部材１２４で構成されている。
【００４２】
（スペーサの取付方法）
以下、電子機器１Ｂにおけるスペーサ１６Ａの取付方法について説明する。なお、以下では、第１筐体１２Ｂから蓋部材１２４のみを取り外して電子部品１５の交換を行う際にスペーサ１６Ａを取り付ける方法について説明する。つまり、以下の説明の開始時点では、図４に示すように、背面カバー１２Ｂａは正面カバー１２ｂに取り付けられたままの状態となっている。
【００４３】
まず、取付機構１４に電子部品１５を取り付ける。続いて、基板１３の実装面１３１上にスペーサ１６Ａを配置するとともに、延在部１７Ａの上側から蓋部材１２４を取り付け、ネジ部材１８をネジ穴１７１に挿入する。そして、ネジ部材１８を回し、延在部１７Ａとともにスペーサ１６Ａを回転させ、間隙Ｓ内にスペーサ１６Ａを配置する。
【００４４】
以上のような構成を備える電子機器１Ｂは、前記した電子機器１と同様に、蓋部材１２４に外力が作用した場合であっても、スペーサ１６Ａによって電子部品１５の移動が規制されているため、異物混入による誤作動が防止される。
【００４５】
［第３実施形態］
以下、本発明の第３実施形態に係る電子機器１Ｃの構成について、図５を参照しながら説明する。まず図５（ｃ）を参照しながら電子機器１Ｃの構成を説明する。
【００４６】
電子機器１Ｃは、図５（ｃ）に示すように、背面カバー１２Ｃａおよび正面カバー１２ｂを備える第１筐体１２Ｃと、基板１３Ａと、取付機構１４と、電子部品１５と、スペーサ１６Ｂと、を備えている。
【００４７】
電子機器１Ｃは、前記した電子機器１Ａ（図３（ｃ）参照）では、ネジ部材１８の回転に応じて延在部１７Ａおよびスペーサ１６Ａを回転させていたのに対し、図５（ｃ）に示すように、ネジ部材１８を備えていない点が異なる。
【００４８】
スペーサ１６Ｂは、図５（ｃ）に示すように、電子部品１５と基板１３Ａとの間の間隙Ｓ内に配置されており、延在部１７Ｂを備えている。延在部１７Ｂは、スペーサ１６Ｂの端部から背面カバー１２Ｃａの内面１２１に向かって延在している。また、延在部１７Ｂの下部には軸部１７２が形成されており、当該軸部１７２は、基板１３Ａの実装面１３１上に形成された軸穴１３２に挿入されている。また、延在部１７Ｂは、軸部１７２を回転軸として回転可能に構成されている。
【００４９】
（スペーサの取付方法）
以下、電子機器１Ｃにおけるスペーサ１６Ｂの取付方法について説明する。
【００５０】
まず、図５（ａ）に示すように、背面カバー１２Ｃａが取り外されている状態で取付機構１４に電子部品１５を取り付ける。続いて、図５（ｂ）に示すように、軸穴１３２に軸部１７２を挿入して基板１３Ａの実装面１３１上にスペーサ１６Ｂを配置するとともに、軸部１７２を回転軸として延在部１７Ｂとともにスペーサ１６Ｂを回転させ、間隙Ｓ内にスペーサ１６Ｂを配置する。そして、図５（ｃ）に示すように、延在部１７Ｂの上側から背面カバー１２Ｃａを取り付ける。
【００５１】
以上のような構成を備える電子機器１Ｃは、前記した電子機器１と同様に、背面カバー１２Ｃａに外力が作用した場合であっても、スペーサ１６Ｂによって電子部品１５の移動が規制されているため、異物混入による誤作動が防止される。
【００５２】
以上、本発明に係る電子機器について、発明を実施するための形態により具体的に説明したが、本発明の趣旨はこれらの記載に限定されるものではなく、特許請求の範囲の記載に基づいて広く解釈されなければならない。また、これらの記載に基づいて種々変更、改変等したものも本発明の趣旨に含まれることはいうまでもない。
【００５３】
例えば、図１〜図５では、電子機器１，１Ａ，１Ｂ，１ＣとしてノートＰＣを例示したが、本発明は、タブレット型ＰＣ、スマートフォンおよび携帯電話等の、筐体内にメモリ等の電子部品を備えており、かつユーザが筐体を把持しながら使用する各種の電子機器に適用可能である。
【００５４】
また、図２〜図５では、取付機構１４として、メモリ用のソケットの概念的な構成を示したが、取付機構１４としては、例えば左右一対のラッチ部でメモリを把持するような一般的なソケット（例えばＪＥＤＥＣ規格等に準拠したもの）を用いることができる。
【００５５】
また、図２〜図５では、電子部品１５としてメモリを想定して説明を行ったが、電子部品１５は、メモリ以外にも、無線通信用のサブカードや半導体ストレージ等の、筐体に近接した位置に配置されるものであっても構わない。
【００５６】
また、図３（ｂ）および図３（ｃ）では、延在部１６Ａの上部における外周に保持部材１９を外嵌し、開口部１２２上で保持する構成としたが、保持部材１９は設けなくても構わない。この場合、まず取付機構１４に電子部品１５を取り付けた後（図３（ａ）参照）、基板１３の実装面１３１上にスペーサ１６Ａのみを配置する。続いて、延在部１７Ａの上側から蓋部材１２４を取り付け、ネジ部材１８をネジ穴１７１に挿入する。そして、ネジ部材１８を回し、延在部１７Ａとともにスペーサ１６Ａを回転させることにより、間隙Ｓ内にスペーサ１６Ａを配置する。
【符号の説明】
【００５７】
１，１Ａ，１Ｂ，１Ｃ，１０１  電子機器
１０  機器本体
１１  キーボード装置
１２，１２Ａ，１２Ｂ，１２Ｃ  第１筐体（筐体）
１２ａ，１２Ａａ，１２Ｂａ，１２Ｃａ，１１２ａ  背面カバー
１２ｂ，１１２ｂ  正面カバー
１２１  内面
１２２  開口部
１２３  窓部
１２４  蓋部材
１３，１３Ａ，１１３  基板
１３１  実装面
１３２  軸穴
１４，１１４  取付機構
１１４ａ  金属端子
１４１  ラッチ部
１５，１１５  電子部品（メモリ）
１５１  一方の面
１５２  他方の面
１６，１６Ａ，１６Ｂ  スペーサ
１７，１７Ａ，１７Ｂ  延在部
１７１  ネジ穴
１７２  軸部
１８  ネジ部材
１９  保持部材
２０  蓋体
２１  ディスプレイ装置
２２  ヒンジ
２３  第２筐体
２３ａ  背面カバー
２３ｂ  正面カバー
２４  アンテナ
Ｄｕ  異物
Ｓ  間隙
【図１】
2017151586.tif 000003
【図２】
2017151586.tif 000004
【図３】
2017151586.tif 000005
【図４】
2017151586.tif 000006
【図５】
2017151586.tif 000007
【図６】
2017151586.tif 000008
【図７】
2017151586.tif 000009
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
筐体と、
前記筐体の内部に配置された基板と、
前記基板上に配置された取付機構と、
前記取付機構に取り付けられ、一方の面が前記筐体の内面と対向し、かつ他方の面が前記基板と対向するように前記取付機構によって保持された板状の電子部品と、
を備え、
前記電子部品と前記基板との間に形成された間隙内にスペーサが配置されており、
前記筐体は、前記スペーサの端部から前記筐体の内面に向かって延在し、前記スペーサと前記筐体の内面とを接続する延在部を備え、
前記筐体は、
前記筐体の正面側を覆う正面カバーと、
前記筐体の背面側を覆う背面カバーと、
を備え、
前記延在部および前記スペーサは、前記背面カバーと一体的に設けられ、
前記スペーサは、前記正面カバーに対して前記背面カバーをスライドさせて取り付ける際に、前記間隙内に配置されるように構成されていることを特徴とする電子機器。
【請求項２】
筐体と、
前記筐体の内部に配置された基板と、
前記基板上に配置された取付機構と、
前記取付機構に取り付けられ、一方の面が前記筐体の内面と対向し、かつ他方の面が前記基板と対向するように前記取付機構によって保持された板状の電子部品と、
を備え、
前記電子部品と前記基板との間に形成された間隙内にスペーサが配置されており、
前記スペーサは、前記スペーサの端部から前記筐体の内面に向かって延在する延在部を備え、
前記延在部は、その延在方向を回転軸として回転可能に構成され、
前記スペーサは、前記延在部の回転に応じて、前記間隙内に配置された状態と、前記間隙の外に配置された状態とが切り替え可能に構成されていることを特徴とする電子機器。
【請求項３】
前記筐体は、少なくとも前記電子部品と対向する領域が取り外し可能に構成されていることを特徴とする請求項２に記載の電子機器。